(57)【特許請求の範囲】
【請求項１】
皮膚又はその複製物の表面を三次元的に計測して得られるパラメータに基づいた皮膚の表面形態の評価方法であって、
前記パラメータが、計測した前記表面の形態から得られる、皮丘を構成する微小面の法線ベクトルに基づく該微小面の向きに関する統計量であり、
前記統計量が、前記微小面の全面積に対する、所定の傾き角以下の該微小面の合計の面積の割合であり、
美容に関する、商品の研究開発及びサービスの提供を目的とする、皮膚の表面形態の評価方法。
【請求項２】
皮膚又はその複製物の表面を三次元的に計測して得られるパラメータに基づいた皮膚の表面形態の評価方法であって、
前記パラメータが、計測した前記表面の形態から得られる、皮丘を構成する微小面の法線ベクトルに基づく該微小面の向きに関する統計量であり、
前記統計量が、前記微小面の法線ベクトルの傾き角の分散又は標準偏差であり、
美容に関する、商品の研究開発及びサービスの提供を目的とする、皮膚の表面形態の評価方法。
【請求項３】
前記表面の形態の計測を共焦点顕微鏡で行う請求項１又は２に記載の皮膚の表面形態の評価方法。
【発明の詳細な説明】
【技術分野】
【０００１】
本発明は、皮膚の表面形態の評価方法に関する。
【背景技術】
【０００２】
キメの細かさ等の皮膚の表面形態を客観的に把握し、評価することは、美容、ヘルスケア等に関する商品の研究開発やサービスの提供において有用である。これまで、このような皮膚の表面形態の評価に関する技術は、主として皮膚表面の皮溝に着目したものが提案されている（例えば、下記特許文献１、非特許文献１参照）。
【０００３】
下記特許文献１の技術は、皮膚の単位面積当たりに３本以上の皮溝が会合する交点の数を計測して皮膚のキメを数値化し、数値が高い程キメが細かいと評価するものである。また、非特許文献１に記載の技術は、電荷結合素子（ＣＣＤ）カメラで捉えた皮膚の画像あるいはそれを二値化及び細線化した上で、輝度分布あるいは黒画素数の標準偏差等を指標とするものである。しかしこれらの技術において、パラメータの妥当性は、もっぱら統計的に年齢と当該パラメータとの間に相関があることによって示されるに留まっており、そのパラメータがかわることによって具体的にどのような変化が実感できるのかについては、何ら明確な情報は得られない。
【０００４】
【特許文献１】特開２００１−１７００２８号公報
【非特許文献１】高橋元次、現代皮膚化学大系、年刊版９０−Ｂ、Ｐ１３、（中山書店、１９９０年
【発明の開示】
【発明が解決しようとする課題】
【０００５】
本発明者は、皮膚の表面形態を実感に即した尺度で評価するためには、皮溝よりもむしろ皮膚のツヤの発現に直接関係している皮丘に着目することが有効であると考え、本発明を完成するに至った。
【０００６】
本発明は、キメの細かさ等の皮膚の表面形態を客観的に精度良く評価することができる皮膚の表面形態の評価方法を提供することを目的とする。
【課題を解決するための手段】
【０００７】
本発明は、皮膚又はその複製物の表面を三次元的に計測して得られるパラメータに基づいた皮膚の表面形態の評価方法であって、前記パラメータが皮丘を構成する微小面の向きに基づいて求められるものである皮膚の表面形態の評価方法を提供することにより、前記目的を達成したものである。
【発明の効果】
【０００８】
本発明によれば、キメの細かさ等の皮膚の表面形態を、実感に即した尺度で、客観的に精度良く評価することができる。
【発明を実施するための最良の形態】
【０００９】
以下、本発明を、その好ましい実施形態に基づいて説明する。
【００１０】
本発明は、皮膚又はその複製物の表面を三次元的に計測して得られるパラメータに基づいて皮膚の表面形態を評価する。
【００１１】
評価対象となる皮膚の複製物は、ネガ型及びポジ型の何れも用いることができる。ネガ型の複製物を用いる場合には、ネガ型の計測データを反転させてポジ型と見なして使用することで、複製物作製の手間や処理操作の簡便化を図ることができる。
【００１２】
上述のように評価対象に皮膚の複製物を用いる場合には、皮膚の評価対象部位に型取り用ゴムを塗布して硬化させ、ネガ型の複製物を作製してこれを評価対象として用いるか、ネガ型の複製物の表面にさらにポジ型用の型取り用ゴムを塗布して硬化させ、ポジ型の複製物を作製してこれを評価対象とする。ポジ型を作るときには、癒着や硬化阻害の問題があるので、ネガ型に離型剤を塗布しておくか、ポジ型用の型取り用ゴムとしてネガ型の複製物と相溶性及び硬化阻害のない型取り用ゴムを選んでおく。型取り用ゴムは対象に応じて選択されるが、皮丘の形態を精度良く複製できる点から、シリコーン系（付加型）、シリコーン系（縮合型）、ポリエーテル系、ポリサルファイド系等が好ましい。ネガ型採取時の皮膚への安全性等を考慮すると、歯科印象剤として使用されるタイプのものが好ましく、特に離型性に優れ、無臭である点で、シリコーン系（付加型・縮合型）がより好ましい。
【００１３】
評価対象とする皮膚の全面積（平面視したときの面積）は、統計的な確度を確保すること、皮膚形状、形状測定に要する時間、解析に要する時間等を考慮すると、１×１０-6〜２５×１０-6ｍ2が好ましい。実際の皮膚形状では皮丘と皮溝を明確に区別することは難しいが、統計的な確度を確保するためには評価対象の中に皮溝−皮丘の繰り返しが横方向・縦方向それぞれに概ね３回以上含まれていることが好ましい。
皮膚表面の皮脂の影響を除く上では、洗顔料等を使った洗浄や脂取り紙により、評価対象部分の皮脂を除去しておくことが好ましい。
【００１４】
皮膚又はその複製物の表面形態の計測方法は、計測対象に応じて選択される。計測方法としては、共焦点顕微鏡を用いる方法、ステレオ画像計測、干渉法、モアレトポグラフィ法等が挙げられる。上述のように複製物を用いる場合には、精度の高い表面形態の計測が可能である点、皮膚表面のような激しい起伏の変化に追従できる点を考慮すると、共焦点顕微鏡を用いる方法が好ましい。
【００１５】
皮膚の表面形態の評価に用いる前記パラメータとしては、計測した前記表面形態からレイトレーシング法によって得られる正反射強度、前記皮丘を構成する微小面の法線ベクトルに基づく該微小面の向きに関する統計量、該微小面の勾配ベクトルに基づく該微小面の向きに関する統計量が挙げられる。評価上の関心は皮丘の形態、特に平均的な面に近い方向を向いている面にある。表面形態を皮丘と皮溝に完全に分離することは困難であるが、皮溝には平均的な面に近い方向を向いている面はほとんど含まれないので、形状全面にわたる計算により求まるこれらのパラメータは、主に皮丘を構成する微小面の向きで決まっているとみなせる。ここで平均的な面とは、皮溝や皮丘の構造よりも大きなうねりや傾斜のみを含んだ面を指し、例えば、測定面全体を平面近似したときの面、測定面全体を多項式近似したときの面、二次元ローパスフィルターをかけた面等を平均的な面として用いることができる。
【００１６】
前記表面形態の計測手法により得られた表面形態に対して、コンピュータグラフィックス（ＣＧ）においてよく用いられるレイトレーシング法によって前記正反射強度を求めることができる。レイトレーシング法を適用するためのソフトウェアとしては、ＰＯＶ−Ｔｅａｍによるフリーウェア「ピーオーブイ・レイ（ＰＯＶ−Ｒａｙ）」、米国エリアス・システムズ社製「マヤ（Ｍａｙａ）」、ディ・ストーム社製「ライトウェイブ（Ｌｉｇｈｔ  Ｗａｖｅ）」などのＣＧソフトウェアを用いるのが、開発コスト等の面で望ましいが、独自に計算プログラムを作成してもよい。
【００１７】
レイトレーシング法による前記正反射強度は次のように求める。
前記ＣＧソフトウェアを組み込んだコンピュータシステムからなる装置において、基本ソフトウェアの起動状態で当該ＣＧソフトウェアを起動し、前記計測により得られた前記表面形態をデータとして取り込む。前記表面形態の計測データとしては、二軸（ｘ、ｙ）方向に所定間隔毎にデータを取得した、二軸メッシュの高さマップを採用することが好ましい。前記表面形態の計測データは形状測定器の独自フォーマットで電子データとして取得されるが、前記ＣＧソフトウェアに入力可能な形式に変換しておく。例えば、形状測定器専用の解析ソフトを使ってＣＳＶ形式でエクスポートし、マスワークス社製「ＭＡＴＬＡＢ」などを使って高さマップ画像に変換することで、ＣＧソフトウェアに入力可能な形式となる。
【００１８】
そして、取り込んだ前記表面形態を、前記ＣＧソフトウェア上の仮想空間中に平均的な面が上を向くように配置する。これは、例えば前記ＰＯＶ−Ｒａｙのスクリプトプログラム中で高さフィールド（Ｈｅｉｇｈｔ  Ｆｉｅｌｄ）要素に前記表面形態を適用させることで実現できる。入射光は平均的な面に特定の入射角で入射する平行光とする。カメラを前記入射光の正反射方向から当該表面形態に向ける。当該表面形態上での反射モデル（反射条件）には、トーランス−スパロウ−ベックマン（Ｔｏｒｒａｎｃｅ−Ｓｐａｒｒｏｗ−Ｂｅｃｋｍａｎ）モデル、フォン（Ｐｈｏｎｅ）モデル、ブリン（Ｂｌｉｎｅ）モデル等の各種の反射モデルを適用することができる。これらの中でも物理的な意味づけが明確な点を考慮すると、トーランス−スパロウ−ベックマンモデルが好ましい。そしてこの条件でレンダリングを行ってＣＧを作成し、画像を保存する。
【００１９】
上述のようにして作成した画像における前記表面形態領域の画素数と、該領域中の画素の値の総和との比、すなわち平均輝度を求めることで、反射光強度に相当する量を求めることができる。
レイトレーシングで求めた正反射強度（又はこれに比例する量）は、平均的な面からの傾きが小さい微小面が寄与しているので、前述したのと同じ理由で、主に皮丘を構成する微小面の向きで決まっているとみなせる。形状データのデジタル化による副作用を避けるために、本発明の趣旨を損なわない範囲で正反射方向から向きをずらしてもかまわない。
【００２０】
次に、前記皮丘を構成する微小面の法線ベクトルに基づく該微小面の向きに関する統計量としては、前記微小面の全体に対する、所定の傾き角以下の該微小面の割合（面積率）、又は該微小面の法線ベクトルの平均的な面に対する傾き角の分散若しくは標準偏差を用いることが好ましい。
【００２１】
前記微小面の全体に対する、所定の傾き角（平均的な面に対する傾き角）以下の前記微小面の割合（面積率）は、前記計測手法によって得られた前記表面形態から求められる。例えば、微細表面の高さ情報が格子状に得られているとき、最小の格子に対角線を引いたときにできる微小三角形を構成する３つの測定点を通る平面は一意に決まり、その傾き角が求まる。これを測定面上の全ての微小三角形について行って傾き角のデータ群を作り、その中で、所定の傾き角以下の要素の全体に対する割合を求めることにより、面積率が求められる。前記傾き角は、皮膚のツヤ感は正反射に近い向きへの反射の挙動により決まり、それには傾き角の小さな面が寄与している点を考慮すると、１５度以下とすることが好ましい。傾き角を求めるための微小面としては、上記微小三角形以外にも、例えば縦３格子点×横３格子点の面を選ぶことができる。この場合、面内の９点からなる形状を平面に近似し、この近似平面の傾き角を用いることができる。
【００２２】
前記微小面の法線ベクトルの傾き角の分散若しくは標準偏差は、前記傾き角のデータ群の分散若しくは標準偏差を求めることで求めることができる。
【００２３】
次に、上述のようにして求めたパラメータに基づいて、皮膚又はその複製物の表面形態を以下のように評価する。
【００２４】
前記パラメータとして、正反射強度を用いる場合には、表面形態要因として、値が大きいほどツヤ肌、値が小さいほどマット肌と評価する。従来から行われている手法の年齢軸と対応させるならば、値が小さいほど低年齢側、値が大きいほど高年齢側になる。
【００２５】
前記パラメータとして、所定の傾き角以下の微小面の割合を用いる場合には、表面形態要因として、当該微小面の割合が大きいほどツヤ肌、小さいほどマット肌と評価する。従来から行われている手法の年齢軸と対応させるならば、値が小さいほど低年齢側、値が大きいほど高年齢側になる。
【００２６】
前記パラメータとして、微小面の分散又は標準偏差を用いる場合には、表面形態要因として、当該傾き角分布の分散又は標準偏差が小さいほどツヤ肌、大きいほどマット肌と評価する。従来から行われている手法の年齢軸と対応させるならば、値が大きいほど低年齢側、値が小さいほど高年齢側になる。
【００２７】
本発明によれば、皮膚のキメの細かさや粗さを、ツヤという実感できる価値に即したパラメータを用いた上で客観的に精度良く評価することができ、これにより、洗顔料、美白剤、ボディローション、トリートメント等の美容、パーソナルケア、ヘルスケア等に関する商品の研究開発やサービスの提供に有効利用することができる。
【００２８】
また、本発明は、皮膚の測定部位に特に制限はない。顔、手、足を含めた人体の各部位の皮膚の表面形態を評価することができる。
【実施例】
【００２９】
以下、本発明を実施例によりさらに具体的に説明する。なお、本発明は本実施例に何ら制限されない。
【００３０】
下記実施例１〜４のようにして皮膚の複製物を作製し、下記のようにして評価パラメータを求めて皮膚の表面形態を評価した。そして、下記比較例１、２のようにして皮膚の表面形態を評価した結果と対比した。
【００３１】
〔実施例１〕
＜複製物の作製＞
３名の被験者の頬を評価対象として下記型取り剤の適量を評価対象部分に塗布し、硬化させてネガ型の複製物を作製した。
型取り剤：ＧＣ社製、シリコーン系（付加型）歯科用印象材「ＥＸＡＭＩＸＦＩＮＥ」
採取面積：４×１０-4〜３６×１０-4ｍ2
【００３２】
＜複製物の表面形態の測定＞
作製したネガ型複製物について、下記共焦点顕微鏡を使用してその表面形態を計測し、この操作を縦方向及び横方向に繰り返し行った。これら各計測データを連結して広領域データを作成した。図１に、各被験者について、該広領域計測データに基づく表面形態の一部の高さマップを示した。
共焦点顕微鏡：（株）キーエンス（Ｋｅｙｅｎｃｅ）製、ＶＫ−９５００
対物レンズ倍率：１０倍
横方向分解能（隣り合うデータ点間の距離）：１．３７４μｍ
高さ方向分解能（スライス幅）：０．１μｍ
測定の繰り返し回数：３（縦）×２（横）
1枚の測定領域：１．１ｍｍ（縦）×１．４ｍｍ（横）
全体（広領域）の測定領域：２．８ｍｍ（縦）×２．６ｍｍ（横）
【００３３】
＜評価パラメータ＞
計測したネガ型の複製物の表面形態から、皮膚の表面形態の評価パラメータとして、下記のようにしてレイトレーシング法によって正反射強度を求めた。その結果を次の実施例２の結果と合わせて図２に示した。
まず、共焦点顕微鏡で得られた高さマップの電子データをＣＳＶ形式ファイルで出力した。科学技術計算環境ソフト（マスワークス社製「ＭＡＴＬＡＢ」）を搭載したコンピュータシステムにおいて、当該ソフトを起動させて前記ＣＳＶ形式ファイルを読み込んだ。上下を反転させたものをポジ型の複製物についての計測データとした上で、測定時のサンプルの傾き角を補正するための平坦化、及び測定時のノイズを除去するためのメディアンフィルタの適用を行い、適用後の高さマップを１６ｂｉｔグレースケールのＴＩＦＦ形式で保存した。このＴＩＦＦ形式ファイルをＣＧソフトの形状の入力として、下記条件でレイトレーシングを行い、結果をＰＮＧ形式で保存した。このＰＮＧファイルを画像処理ソフト（米国アドビ社製「Ｐｈｏｔｏｓｈｏｐ」）を起動させて開き、背景（ＰＮＧ形式での透過する領域）以外の領域を選択した後、ヒストグラム画面を表示させ、その画面中に表示される統計量のうち平均輝度をもって、求めるべきパラメータである正反射強度とした。
ＣＧソフト：ＰＯＶ−Ｒａｙ（Ｔｏｒｒａｎｃｅ−Ｓｐａｒｒｏｗ−Ｂｅｃｋｍａｎモデルに基づいた計算を行う機能を独自に拡張したもの）
入射角：４５°
受光角：４０°
微細面の反射モデル：Ｔｏｒｒａｎｃｅ−Ｓｐａｒｒｏｗ−Ｂｅｃｋｍａｎモデル
モデルの中で用いたパラメータ
・Ｂｅｃｋｍａｎ定数：０．２
・屈折率比：１．５
【００３４】
〔実施例２〕
実施例１の各被験者において、測定部位とした頬の皮膚表面に粘着テープを貼り付けた後、該粘着テープを引き剥がした部位について、実施例１と同様にして正反射強度を求めて皮膚の表面形態の評価を行った。図３に、図１に対応する評価対象部分の表面形態の高さマップを、図２に正反射強度の測定結果をそれぞれ示した。図２において、Ｋ、Ｍ、Ｙは３名の被験者を示し、「前」、「後」はそれぞれテープ処理前、テープ処理後を意味する。図１と図３を比較してわかるように、実施例１に比べて実施例２では皮膚形状の起伏が大きくなっている。また、図２からわかるように、形状情報からレイトレーシング法によって得られる正反射強度は、実施例１に比べて実施例２ではいずれも減少していることがわかる。
【００３５】
〔実施例３〕
実施例１で計測したネガ型の複製物の表面形態から、皮膚の表面形態の評価パラメータとして、下記のようにして平均的な面に対する傾き角が１０度以下及び３０度以下の前記微小面の割合並びに０〜４度の分散を求めた。それらの結果を次の実施例４の結果と合わせて図４〜図６にそれぞれ示した。
まず、共焦点顕微鏡で得られた高さマップのデータをＣＳＶ形式ファイルで出力した。実施例１と同様に、科学技術計算環境ソフト（マスワークス社製「ＭＡＴＬＡＢ」）を搭載したコンピュータシステムにおいて、当該ソフトを起動させて前記ＣＳＶ形式ファイルを読み込んだ。上下を反転させたものをポジ型の複製物についての計測データとした上で、測定時のサンプルの傾きを補正するための平坦化、及び測定時のノイズを除去するためのメディアンフィルタの適用を行った。そして、隣り合うデータ点を結びつけて下記のようにして作られる微小三角形の法線を順次計算し、微小三角形の全数と傾き角が１０度以下の微小三角形の数を数え上げ、その割合をもって、求めるべきパラメータである微小面の向きに関する統計量とした。
高さマップのデータは、測定面を上部から見下ろしたときの横軸をｘ、縦軸をｙとして、Ｈ（ｘ，ｙ）（ただしｘ＝１，２，・・・，ｘＮ；ｙ＝１，２，・・・，ｙＮ）と書ける。このとき測定面全体は、（１）：Ｈ（ｘ，ｙ）−Ｈ（ｘ＋１，ｙ）−Ｈ（ｘ，ｙ＋１）（ただしｘ＝１，２，・・・，ｘＮ−１；ｙ＝１，２，・・・，ｙＮ−１）の３点で形成される（ｘＮ−１）＊（ｙＮ−１）個の微小三角形、及び（２）：Ｈ（ｘ，ｙ＋１）−Ｈ（ｘ＋１，ｙ）−Ｈ（ｘ＋１，ｙ＋１）（ただしｘ＝１，２，・・・，ｘＮ−１；ｙ＝１，２，・・・，ｙＮ−１）の３点で形成される（ｘＮ−１）＊（ｙＮ−１）個の微小三角形に分割することができる。
各微小三角形の法線の求め方を上記（１）の場合で説明する。求めるべき法線ベクトルＮは、隣り合う格子点間の距離をΔとしたとき、３次元空間上の（ｘ×Δ，ｙ×Δ，Ｈ（ｘ，ｙ））から（（ｘ＋１）×Δ，ｙ×Δ，Ｈ（ｘ＋１，ｙ））に向かう方向ベクトルｖ１＝（Δ，０，Ｈ（ｘ＋１，ｙ）−Ｈ（ｘ，ｙ））及び、（ｘ×Δ，ｙ×Δ，Ｈ（ｘ，ｙ））から（ｘ×Δ，（ｙ＋１）×Δ，Ｈ（ｘ，ｙ＋１））に向かう方向ベクトルｖ２＝（０，Δ，Ｈ（ｘ，ｙ＋１）−Ｈ（ｘ，ｙ））のいずれとも直交するので、各ベクトルの外積を使ってＮ＝ｖ１×ｖ２／｜ｖ１×ｖ２｜なる式で求めることができる。（２）についても同様に法線を求めることができる。
【００３６】
〔実施例４〕
実施例２で計測した複製物の表面形態から、実施例３と同様にして前記微小面の割合及び分散を求めた。それらの結果を図４〜図６にそれぞれ合わせて示した。各図において、Ｋ、Ｍ、Ｙは３名の被験者を示し、「before」、「after」はそれぞれテープ処理前、テープ処理後を意味する。図４から、法線傾きが１０度以下の面の割合は、実施例３に比べて実施例４ではいずれも減少していることがわかる。また、図５から、法線傾きが３０度以下の面の割合は、実施例３及び実施例４では全体的に減少傾向にはあるが、被験者によっては増加していることもあることがわかる。また、図６から、０度から４度の面の分散は、実施例３に比べて実施例４ではいずれも減少していることがわかる。
【００３７】
〔比較例１〕
実施例１と同じ被験者３名について、実施例１と同じ頬の評価対象部分について、図７に示すように、光源１１から光を照射（入射角θ１）して偏光板１１１を通過させて偏光させ、該評価対象部分Ａからの光反射（反射角θ２）を偏光板１０１を通して偏光を分離し、市販のＣＣＤカメラ１０を用いた変角撮影によって受光した。受光側の偏光板の向きを入射光の偏光と揃えることにより得られる画像と、入射光の偏光と垂直にすることにより得られる画像との差をとることにより、表面光画像を得た。その結果を図８に示した。
ＣＣＤカメラ：デジタルカメラＤ１ＸにＡＦマイクロニッコール６０ｍｍレンズ（共に（株）ニコン製）を装着したもの
光源：パルックボールＥＦＤ２２ＥＮ（松下電器産業（株）製）
入射光の偏光の向き：ｓ波（入射面に対して平行）
受光側の偏光板の向き：ｓ波及びｐ波（入射面に対して垂直）
θ１：４５°
θ２：４５°
【００３８】
〔比較例２〕
比較例１と同じ（即ち、実施例１と同じ）皮膚の評価対象部分に粘着テープを貼り付けた後、該粘着テープを引き剥がした皮膚（即ち、実施例２と同じ測定部位）について、比較例１と同様にして評価を行った。その結果を図９に示した。図８と図９を比較すると、比較例１に比べて比較例２では表面反射した光強度がいずれも幾分減少していることがわかるが、定性的な比較に過ぎない。
【００３９】
＜評価結果＞
図２、４〜６に示したように、三次元形状から皮丘を構成する微小面の法線分布に由来するパラメータ、とりわけレイトレーシング法による正反射強度や、平均的な面の法線方向に対する傾き角が所定の角度以下の面の割合に基づくパラメータの変化は、皮膚状態を表面反射した光強度の変化と相関があることがわかった。つまり、皮丘を構成する微小面の法線分布に由来するこれらパラメータを皮膚状態の評価に用いることで、皮膚状態をツヤという実感に即した尺度で定量的に評価することができることがわかった。
【産業上の利用可能性】
【００４０】
本発明によれば、キメの細かさ等の皮膚の表面形態を客観的に精度良く評価することができる皮膚の表面形態の評価方法が提供される。
【図面の簡単な説明】
【００４１】
【図１】（ａ）〜（ｃ）は、本発明の実施例１により計測した３名の被験者の頬の評価対象部分の一部の表面形態の立体図である。
【図２】本発明の実施例１、２において評価パラメータを正反射強度としたときの結果を示す図である。
【図３】（ａ）〜（ｃ）は、本発明の実施例２により計測した３名の被験者の頬の評価対象部分の一部の表面形態の立体図である。
【図４】本発明の実施例３、４において評価パラメータを所定角度（１０°）以下の微小面積の割合としたときの結果を示す図である。
【図５】本発明の実施例３、４において評価パラメータを所定角度（３０°）以下の微小面積の割合としたときの結果を示す図である。
【図６】本発明の実施例３、４において評価パラメータを所定角度範囲（０°〜４°）の微小面積の分散としたときの結果を示す図である。
【図７】比較例１及び比較例２での撮影の模式図である。
【図８】（ａ）〜（ｃ）は、比較例１により測定した３名の被験者の頬の評価対象部分の表面光の受光像を示す図である。
【図９】（ａ）〜（ｃ）は、比較例２により測定した３名の被験者の頬の評価対象部分の表面光の受光像を示す図である。
【図１】
0004749122.tif 000002
【図２】
0004749122.tif 000003
【図３】
0004749122.tif 000004
【図４】
0004749122.tif 000005
【図５】
0004749122.tif 000006
【図６】
0004749122.tif 000007
【図７】
0004749122.tif 000008
【図８】
0004749122.tif 000009
【図９】
0004749122.tif 000010